(57)【要約】 【課題】本発明は運動場，広場，工事現場，屋上，ベランダなどの表面に溜まった雨水等を、簡単に且つ効率的に吸水して除去出来ると共に、特に小さな窪みや溝に溜まった雨水等を吸水し除去することが簡単に行える吸水具を提供することを目的とする。【解決手段】略椀形状に形成したゴムカップ１の内部に吸水材２を収納すると共に開口部11から吸水材２の端部を突出させ、ゴムカップ１の上部に設けた取付部12には、パイプ状の把手３をゴムカップ１に連通させて取付けると共に該把手３の中間部或いは蓋体内部には、ゴムカップ１の内部の空気を抜くための逆止弁４が設けられる構造とする。また吸水材２の端部に丸味を付けた湾曲面が形成され、更にその端部中央に突起が形成されるものとしても良い。【選択図】図１
2005290918.tif 000002
【特許請求の範囲】
【請求項１】
略椀形状に形成したゴムカップ（１）の内部にスポンジなどの吸水材（２）を収納すると共に開口部（11）から前記吸水材（２）の端部を突出させ、前記ゴムカップ（１）の上部に設けた取付部（12）には、パイプ状の把手（３）を前記ゴムカップ（１）に連通させて取付けると共に前記把手（３）には、前記ゴムカップ（１）の内部の空気を抜くための逆止弁（４）が設けられたことを特徴とする吸水具。
【請求項２】
略椀形状に形成したゴムカップ（１）の内部にスポンジなどの吸水材（２）を収納すると共に開口部（11）から前記吸水材（２）の端部を突出させ、前記ゴムカップ（１）の上部に設けた取付部（12）には、パイプ状の把手（３）を前記ゴムカップ（１）に連通させて取付け、前記把手（３）の上端部には、排気穴（51）を有する蓋体（５）が装着され、その蓋体（５）には、前記ゴムカップ（１）の内部の空気を抜くための逆止弁（４）が内蔵されたことを特徴とする吸水具。
【請求項３】
前記吸水材（２）の端部に丸味を付けた湾曲面（21）が形成された請求項１又は２記載の吸水具。
【請求項４】
前記吸水材（２）の端部中央に突起（22）が形成された請求項１、２又は３記載の吸水具。
【発明の詳細な説明】
【技術分野】
【０００１】
本発明は運動場や広場或いは工事現場などの表面に溜った雨水等を、簡単に且つ効率的に吸水して除去させる吸水具に関する。
【背景技術】
【０００２】
従来、運動場や広場或いは工事現場などに溜まった雨水等を吸水して除去する方法としては、雑巾で水溜まりの水を吸水して除去させたり、或いは砂をまいて吸水しそれを散乱させたりする方法が採られていたが、準備と後片付けが大変であった。このため、近年に於いては、吸水除去装置が利用されている。該吸水除去装置としては、連続作業を可能にすると共に吸水除去性能と耐久性を同時に向上させるために、実開平６−８２１１７号が提案されている。この構造は、外周面にスポンジ層を設けた２本のローラを、一方を吸水ローラとして接地させ、他方を該吸水ローラの表面に圧接する脱水ローラとして取付け、該脱水ローラに搾液バー又はローラを圧接すると共に、その下方に貯水箱を設けたものである。
【０００３】
しかしながら実開平６−８２１１７号は、装置全体が大きいため、手押し用の把手で全体を押したり、或いは車に牽引させたりして作業を行わなければならず、且つ小さな窪みや溝に溜まった水を吸水し除去する場合には適さない等の問題点があった。
【特許文献１】実開平６−８２１１７号公報
【発明の開示】
【発明が解決しようとする課題】
【０００４】
本発明は運動場，広場，工場現場，屋上，ベランダなどに溜まった雨水等を、簡単に且つ効率的に吸水して除去出来ると共に、特に小さな窪みや溝に溜まった雨水等を吸水し除去することが簡単に行える吸水具を提供することを目的とする。
【課題を解決するための手段】
【０００５】
本発明は上記問題点を解消するために成されたものであり、つまり、略椀形状に形成したゴムカップの内部に吸水材を収納すると共に開口部から吸水材の端部を突出させ、ゴムカップの上部に設けた取付部には、パイプ状の把手をゴムカップに連通させて取付けると共に把手或いは該把手の上端部に取付けた蓋体には、ゴムカップ内部の空気を抜くための逆止弁が設けられる構造とする。また吸水材の端部に丸味を付けた湾曲面が形成され、更にその端部中央に突起が形成されるものとしても良い。
【発明の効果】
【０００６】
請求項１のように略椀形状に形成したゴムカップ（１）の内部にスポンジなどの吸水材（２）を収納すると共に開口部（11）から吸水材（２）の端部を突出させ、ゴムカップ（１）の上部に設けた取付部（12）には、パイプ状の把手（３）をゴムカップ（１）に連通させて取付けると共に把手（３）には、ゴムカップ（１）の内部の空気を抜くための逆止弁（４）が設けられることにより、運動場，広場，工場現場，屋上，ベランダなどに溜まった雨水等を、簡単に且つ効率的に吸水して除去出来ると共に、特に小さな窪みや溝に溜まった雨水等を吸水し除去することも簡単に行えるものとなる。また本発明品は手軽な大きさで且つ構造が極めて簡単であるので、安価に提供出来るものとなる。
【０００７】
請求項２のように略椀形状に形成したゴムカップ（１）の内部にスポンジなどの吸水材（２）を収納すると共に開口部（11）から吸水材（２）の端部を突出させ、ゴムカップ（１）の上部に設けた取付部（12）には、パイプ状の把手（３）をゴムカップ（１）に連通させて取付け、把手（３）の上端部には、排気穴（51）を有する蓋体（５）が装着され、その蓋体（５）には、ゴムカップ（１）の内部の空気を抜くための逆止弁（４）が内蔵されることにより、請求項１と同様な効果が得られると共に泥や砂が逆止弁（４）の周りに付着した時には蓋体（５）を外して容易に清掃が行えるため、メンテナンスが簡単となり、且つ逆止弁（４）を蓋体（５）に内蔵したものを把手（３）に取付けるだけで良くなるため、製作費がより安価なものとなる。
【０００８】
請求項３に示すように吸水材（２）の端部に丸味を付けた湾曲面（21）が形成されることにより、窪みに沿って接地できるものとなるため、溜まった雨水を最後まで吸水して除去することが可能なものとなる。
【０００９】
請求項４に示すように吸水材（２）の端部中央に突起（22）を形成することにより、局部的な溝穴などに対しても有効に吸水でき、その水溜まりの水を除去することが可能となる。
【発明を実施するための最良の形態】
【００１０】
図１は本発明の実施形態を示す図であり、これについて説明する。（１）は略椀形状に形成したゴムカップであり、該ゴムカップ（１）の下方は開口された開口部（11）が設けられ、上部には開口する取付穴を有した取付部（12）が設けられている。また開口部（11）の内周に沿って突片を設けた縁部（13）が形成されている。尚、前記ゴムカップ（１）としては、便器の詰まりを直す際に使用する吸引棒に取付けた略椀状のゴム盤と同形で且つ同材質のものを用いると良い。又、前記ゴムカップ（１）の材質としてはゴムが好ましいが、弾性力を有した合成樹脂でも良い。（２）はゴムカップ（１）の内部に収納すると共に開口部（11）からその端部が突出するスポンジなどの吸水材であり、該吸水材（２）はスポンジに限定されるものではなく、復元力があり且つ吸水性がある材質のものであれば良く、例えば発泡ゴムなどを用いても良い。また前記吸水材（２）の端部には図３（ａ）に示すような丸味を付けた湾曲面（21）が形成され、更に該湾曲面（21）の中央には図３（ｂ）のような突起（22）を形成させても良い。（３）はゴムカップ（１）の取付部（12）に挿入して取付けたパイプ状の把手であり、該把手（３）とゴムカップ（１）の内部は連通されている。（４）は把手（３）の中間部に設けた逆止弁であり、該逆止弁（４）は合成樹脂シートや折曲可能な合成樹脂或いはゴム製の薄板などで図示しない略円形状に形成されており、その大きさは把手（３）の内部の大きさより若干大きく形成され、その周囲の一部が把手（３）の中間部で挟まれて固定されている。尚、前記逆止弁（４）はゴムカップ（１）の内部の空気を抜く時に開き、吸水材（２）が水を吸水する時に閉じるように配置されている。
【００１１】
図２は本発明の別実施形態を示す図であり、これは前記実施形態と比べ、逆止弁（４）の配置位置が異なると共に蓋体（５）が把手（３）の上端部に装着されている。前記蓋体（５）には、ゴムカップ（１）の内部の空気を抜くための逆止弁（４）が内蔵され、且つ前記蓋体（５）の上部側面には排気穴（51）が穿設されている。また前記蓋体（５）は把手（３）の上端部と着脱可能に取付けられている。他の部品は前記実施形態と同一である。尚、前記把手（３）は中間部に継ぎ足しのないパイプ状のものを使用すれば良い。
【００１２】
次に本発明の作用を図４に基づいて説明する。予め図５に示すような、線材で形成した網状のものをバケツの上部に設置させて用意しておく。先ず始めに水溜まりの上に把手（３）を片手に持って本発明品を配置させる［図４（ａ）参照］。そして把手（３）を図中の矢印のように下方へ押し、ゴムカップ（１）と吸水材（２）を圧潰して収縮させる［図４（ｂ）参照］。この時、ゴムカップ（１）の外周は水溜まりと密着し、ゴムカップ（１）内部の空気は図中の一点鎖線の矢印のように把手（３）へ向い、且つ前記空気は図中の点線矢印のように逆止弁（４）を押上げて上方から排出されるのである。従って、ゴムカップ（１）内部は減圧された状態となる。この時、前記ゴムカップ（１）内部の空気はその外周へ勢いよく流出することなく、且つ溜まり水が周囲に飛び散って衣服を汚す恐れが生じないものとなる。その後、把手（３）に加えた押圧力を弱めると、ゴムカップ（１）とその内部の吸水材（２）が元の形に復元される［図４（ｃ）参照］。この時、吸水材（２）は膨張して復元されると共に水溜まりの水を吸い込む。更にこの時、逆止弁（４）が閉じられているため、ゴムカップ（１）の周囲から空気を矢印のように吸い込みながら水も一緒にゴムカップ（１）の内部に吸い込む作用が増大されるものとなり、より効率の良い吸水作業が行えるものとなるのである。
【００１３】
吸水した水を排出する場合は、図５に示すバケツの上に本発明品を乗せ、把手（３）を持って押下げることにより、吸水材（２）が圧潰され、バケツ内に水を排出する。その後、上記要領で水溜まりの水がなくなるまで本発明品によって吸水すれば良い。このように本発明品は片手で簡単に持つことが出来る大きさであるため、窪みに溜まった水を除去する際に使用すれば、略完全に溜まり水を簡単に除去することが可能となると共に、逆止弁（４）が設けられているため、水溜まりの水を吸水する際に、その作業が効率良く行えるものとなるのである。
【図面の簡単な説明】
【００１４】
【図１】本発明の実施形態の要部断面を示す説明図である。
【図２】本発明の別実施形態の要部断面を示す説明図である。
【図３】本実施形態の吸水材の端部形状を示す説明図である。
【図４】本発明の作用を示す説明図である。
【図５】本実施形態の吸水材が排水される場合の状態を示す説明図である。
【符号の説明】
【００１５】
１  ゴムカップ
11  開口部
12  取付部
２  吸水材
21  湾曲面
22  突起
３  把手
４  逆止弁
５  蓋体
51  排気穴
【図１】
2005290918.tif 000003
【図２】
2005290918.tif 000004
【図３】
2005290918.tif 000005
【図４】
2005290918.tif 000006
【図５】
2005290918.tif 000007